(57)【特許請求の範囲】
【請求項１】
ウインドウガラスにおけるウインドウレギュレーターを構成するガラス支持体とのボルト締めによる連結箇所において、このウインドウガラスを保持するように取り付けられるガラスホルダーであって、
ウインドウガラスの一面に対する挟持面を備えると共に、この挟持面側にウインドウガラスの連結用孔に入れ込まれる筒状部を一体に有し、かつ、この筒状部の内部をボルト挿通孔とした第一の保持体と、
ウインドウガラスの他面に対する挟持面を備えると共に、第一の保持体の筒状部を受け入れ可能とする貫通穴を備えた第二の保持体と、
第一の保持体における筒状部の突き出し端と第二の保持体における挟持面との間に、ウインドウガラスの肉厚寸法よりも大きい間隔を開けさせた状態で、この第一の保持体と第二の保持体とを連結させる弾性変形可能なヒンジ体とを備えており、
第二の保持体の貫通穴は、第一の保持体の筒状部の外径とほぼ等しい短寸側と、この筒状部の外径より大きい長寸側とを有していると共に、
この第二の保持体の貫通穴の短寸側の内側に、第一の保持体の筒状部の外面であってこの第一の保持体の挟持面をウインドウガラスの一面に接しさせる位置までこのウインドウガラスの連結用孔に筒状部を入れ込ませた状態においてこのウインドウガラスの他面から突き出される部分に形成された掛合部に対し、ヒンジ体を弾性変形させてこの第二の保持体の貫通穴にこの筒状部の突き出される部分を受け入れさせる閉じ位置まで第二の保持体を移動させることにより掛合される被掛合部が形成してあることを特徴とするガラスホルダー。
【請求項２】
第一の保持体及び第二の保持体のいずれか一方に、掛合部と被掛合部とを掛合させ合わせて第一の保持体と第二の保持体とによってウインドウガラスを挟み付け状に保持させた状態において、ウインドウガラスの連結用孔に入れ込まれた筒状部のボルト挿通孔に入れ込まれる連結用ボルトに螺合するナットが備え付けられていることを特徴とする請求項１記載のガラスホルダー。
【請求項３】
第一の保持体の挟持面及び第二の保持体の挟持面の双方又はいずれか一方が、振動吸収体によって構成されていることを特徴とする請求項１又は請求項２記載のガラスホルダー。
【発明の詳細な説明】
【０００１】
【発明の属する技術分野】
この発明は、ウインドウガラスとウインドウレギュレーターを構成するガラス支持体とのボルト締めによる連結箇所において、このウインドウガラスを保持するように取り付けられるガラスホルダーの改良に関する。
【０００２】
【従来の技術】
ウインドウガラスとウインドウレギュレーターを構成するガラス支持体とのボルト締めによる連結箇所において、このウインドウガラスを保持するように取り付けられるリテーナ（ガラスホルダー）として、実用新案公報所載の実公平７−６００６に係るものがある。
【０００３】
【発明が解決しようとする課題】
しかるに、かかる従来のリテーナは、Ｕ字状をなしており、リテーナの両側壁を広げながらドアガラスの下端部に嵌装させることを要するものであった。
【０００４】
このため、このリテーナをドアガラスの下端部に取り付けるにあたっては、前記両側壁を押し広げさせながら、リテーナの嵌合部をドアガラスの支持穴に嵌合させるようにする必要があり、この取り付け作業は必ずしも容易なものとは言い難かった。
【０００５】
そこでこの発明は、この種のガラスホルダーのウインドウガラスへの取り付け作業を容易かつ適切に行えるようにすることを主たる目的とする。
【０００６】
【課題を解決するための手段】
前記目的を達成するために、請求項１記載の発明にあっては、ガラスホルダーを以下の（１）〜（６）の構成を備えたものとした。
（１）ウインドウガラスにおけるウインドウレギュレーターを構成するガラス支持体とのボルト締めによる連結箇所において、このウインドウガラスを保持するように取り付けられるガラスホルダーであって、
（２）ウインドウガラスの一面に対する挟持面を備えると共に、この挟持面側にウインドウガラスの連結用孔に入れ込まれる筒状部を一体に有し、かつ、この筒状部の内部をボルト挿通孔とした第一の保持体と、
（３）ウインドウガラスの他面に対する挟持面を備えると共に、第一の保持体の筒状部を受け入れ可能とする貫通穴を備えた第二の保持体と、
（４）第一の保持体における筒状部の突き出し端と第二の保持体における挟持面との間に、ウインドウガラスの肉厚寸法よりも大きい間隔を開けさせた状態で、この第一の保持体と第二の保持体とを連結させる弾性変形可能なヒンジ体とを備えており、
（５）第二の保持体の貫通穴は、第一の保持体の筒状部の外径とほぼ等しい短寸側と、この筒状部の外径より大きい長寸側とを有していると共に、
（６）この第二の保持体の貫通穴の短寸側の内側に、第一の保持体の筒状部の外面であってこの第一の保持体の挟持面をウインドウガラスの一面に接しさせる位置までこのウインドウガラスの連結用孔に筒状部を入れ込ませた状態においてこのウインドウガラスの他面から突き出される部分（以下、突出部分という。）に形成された掛合部に対し、ヒンジ体を弾性変形させてこの第二の保持体の貫通穴にこの筒状部の突出部分を受け入れさせる閉じ位置まで第二の保持体を移動させることにより掛合される被掛合部が形成してある。
【０００７】
かかる構成によれば、ウインドウガラスの連結用孔に前記筒状部を入れ込ませて第一の保持体の挟持面をこのウインドウガラスの一面に接しさせ、このウインドウガラスの他面から筒状部の突出部分を突き出させた状態から、前記ヒンジ体を弾性変形させてウインドウガラスの他面に挟持面を接しさせるように第二の保持体を移動させることにより、前記貫通穴に前記筒状部の突出部分を入れ込ませることができると共に、この入れ込みに伴って、前記筒状部の掛合部に前記貫通穴の被掛合部を掛合させることができる。
【０００８】
これにより、ウインドウガラスにおけるウインドウレギュレーターを構成するガラス支持体とのボルト締めによる連結箇所に、このウインドウガラスに形成させた連結用孔を利用してワンタッチでガラスホルダーを取り付けることができる。
【０００９】
また、ウインドウガラスの他面から突き出される第一の保持体の筒状部の突出部分によって、ボルト締めの際に作用される締め付け力をある程度受けて、この締め付け力の全てが第一の保持体及び第二の保持体を通じてウインドウガラスに作用しないようにすることができ、このボルト締めに際してのウインドウガラスの破損などをできる限り生じさせないようにすることができる。
【００１０】
また、ウインドウガラスにおけるウインドウレギュレーターを構成するガラス支持体とのボルト締めによる連結箇所に形成させた連結用孔に対して第一の保持体の筒状部を入れ込ませる際に、第二の保持体が邪魔となることがなく、この後、前記ヒンジ体を弾性変形させて第二の保持体と第一の保持体との間で前記連結箇所を挟み付けるようにしてウインドウガラスにガラスホルダーを支障なく取り付けることができ、この取り付け作業を円滑に行うことができる。
【００１１】
また、請求項２記載の発明にあっては、請求項１記載のガラスホルダーにおける第一の保持体及び第二の保持体のいずれか一方に、掛合部と被掛合部とを掛合させ合わせて第一の保持体と第二の保持体とによってウインドウガラスを挟み付け状に保持させた状態において、ウインドウガラスの連結用孔に入れ込まれた筒状部のボルト挿通孔に入れ込まれる連結用ボルトに螺合するナットが備え付けられていることを特徴としている。
【００１２】
かかる構成によれば、別途のナットを用意することなく、ウインドウガラスの一面に第一の保持体の挟持面を押し付け、かつ、このウインドウガラスの他面に第二の保持体の挟持面を押し付けるようにしてウインドウガラスに取り付けられたガラスホルダーにおける外面にガラス支持体の一面を接しさせた状態で、ガラス支持体の連結用孔とガラスホルダーのボルト挿通孔とにボルトを入れ込み締め込むことにより、このボルトを前記ナットに螺合させてウインドウガラスとガラス支持体との連結をなすことができる。
【００１３】
また、請求項３記載の発明にあっては、請求項１又は請求項２記載のガラスホルダーにおける第一の保持体の挟持面及び第二の保持体の挟持面の双方又はいずれか一方が、振動吸収体によって構成されていることを特徴としている。
【００１４】
かかる構成によれば、ウインドウレギュレーターを構成するガラス支持体側に作用される機械的振動を前記振動吸収体によって吸収してウインドウガラス側に伝達しないように、あるいは、ウインドウガラス側に作用される機械的振動を前記振動吸収体によってウインドウレギュレーターを構成するガラス支持体側に伝達しないように、このガラス支持体とウインドウガラスとを連結し合わせることができる。
【００１５】
また、前記ボルト締めによって、振動吸収体を押し潰させながら、ガタつきなく、ガラス支持体とウインドウガラスとを連結させ合わせることができる。
【００１６】
【発明の実施の形態】
以下、図１ないし図１０に基づいて、この発明の典型的な実施の形態について説明する。
【００１７】
なお、ここで図１および図３ないし図８は、ガラスホルダーＨをそれぞれ示しており、また、図２は、ガラスホルダーＨをウインドウガラスＷに取り付けると共に、このガラスホルダーＨをガラス支持体ＰとウインドウガラスＷとの間に介在させた状態で、このガラス支持体ＰとウインドウガラスＷとをボルト締めによって連結させた状態を断面の状態として示している。
【００１８】
また、図９および図１０は、図１ないし図８に示されるガラスホルダーＨの構成の一部を変更した例を示している。
【００１９】
この実施の形態にかかるガラスホルダーＨは、自動車のウインドウガラスＷにおけるウインドウレギュレーターを構成するガラス支持体Ｐとのボルト締めによる連結箇所において、このウインドウガラスＷを保持するように取り付けられるものである。
【００２０】
典型的には、かかるウインドウガラスＷとしては、自動車のドアガラスＷ’が予定される。また、典型的には、かかるウインドウレギュレーターとしては、自動車のドアに内蔵されるものが予定される。
【００２１】
こうした場合にあっては、ガラス支持体Ｐとしては、ドアガラスＷ’の下端部にボルト締めによって連結される、かかるウンドウレギュレーターを構成するいわゆるキャリアプレートＰ’が予定される。こうした場合にあっては、キャリアプレートＰ’の上昇によってドア内からドアガラスＷ’が繰り出され、また、キャリアプレートＰ’の下降によってドア内にドアガラスＷ’が引き込まれる。
【００２２】
そして、こうした場合にあっては、かかるガラスホルダーＨは、ドアガラスＷ’に形成された連結用孔Ｗａを利用して取り付けられるガラスホルダーＨのボルト挿通孔１２と、キャリアプレートＰ’に形成された連結用孔Ｐａとを連通させた状態で、両孔１２、ＰａにボルトＢｔを入れ込み、ボルト締めすることによって、キャリアプレートＰ’をドアガラスＷ’に直接接触させない状態で、キャリアプレートＰ’とドアガラスＷ’とをガラスホルダーＨを介在させて連結させるように用いられる。
【００２３】
かかるガラスホルダーＨは、
（１）ウインドウガラスＷの一面に対する挟持面１０を備えた第一の保持体１と、
（２）ウインドウガラスＷの他面に対する挟持面２０を備えた第二の保持体２と、
（３）この第一の保持体１と第二の保持体２とを連結させる弾性変形可能なヒンジ体３とを備えている。
【００２４】
ドアガラスＷ’の保持に用いられる場合にあっては、かかるガラスホルダーＨは、ドアガラスＷ’の下端縁Ｗｂにヒンジ体３を位置させるようにした状態で、このドアガラスＷ’の一面に第一の保持体１の挟持面１０を押し付け、かつ、このドアガラスＷ’の他面に第二の保持体２の挟持面２０を押し付けるようにして、このドアガラスＷ’に取り付けられる。そして、このようにドアガラスＷ’に取り付けられたガラスホルダーＨにおける第一の保持体１の外面にキャリアプレートＰ’の一面を接しさせた状態で、このキャリアプレートＰ’の他面をボルトＢｔの頭部Ｂｔａの座面とするようにこのキャリアプレートＰ’の連結用孔ＷａとガラスホルダーＨのボルト挿通孔１２とにボルトＢｔを入れ込み締め込んでドアガラスＷ’とキャリアプレートＰ’との連結がなされる。（図２）
【００２５】
（第一の保持体１）
第一の保持体１は、前記挟持面１０側にウインドウガラスＷの連結用孔Ｗａに入れ込まれる円筒状をなす筒状部１１を一体に有している。また、この筒状部１１の内部を前記ボルト挿通孔１２としている。
【００２６】
具体的には、この実施の形態にあっては、第一の保持体１は、略長方形の板状をなす基板１３を主体として構成されている。そして、この基板１３の一面が前記挟持面１０となるようにしてある。
【００２７】
そして、この実施の形態にあっては、かかる基板１３の挟持面１０に一方の筒端を一体に接合させた状態で、この挟持面１０から突き出すように前記筒状部１１が設けられている。
【００２８】
また、この基板１３の外面、すなわち、前記挟持面１０と反対の面側には、同様に、かかる基板１３の外面に一方の筒端を一体に接合させた状態で、この外面から突き出すように外側筒状部１４が設けられている。
【００２９】
そして、この実施の形態にあっては、前記筒状部１１の他端と前記外側筒状部１４の他端との間に亘ってボルト挿通孔１２が形成してある。すなわち、かかるボルト挿通孔１２は、前記基板１３を貫通すると共に、前記筒状部１１の他端と前記外側筒状部１４の他端とにおいてそれぞれ外方に開放されている。
【００３０】
また、この実施の形態にあっては、この第一の保持体１における前記外側筒状部１４内に、後述する掛合部１８と被掛合部２３とを掛合させ合わせて第一の保持体１と第二の保持体２とによってウインドウガラスＷを挟み付け状に保持させた状態において、ウインドウガラスＷの連結用孔Ｗａに入れ込まれた筒状部１１のボルト挿通孔１２に入れ込まれる連結用ボルトＢｔに螺合するナット１５が備え付けられている。
【００３１】
この実施の形態にあっては、かかるナット１５は、ナット１５の雌ネジ穴１５ａを前記外側筒状部１４内において前記ボルト挿通孔１２に連通させるように、この外側筒状部１４内に備え付けられている。
【００３２】
また、かかるナット１５は、外周部に張り出し部１５ｂを有し、この張り出し部１５ｂを前記外側筒状部１４の内側からこの外側筒状部１４の肉厚内に埋め込ませた状態で、この外側筒状部１４内に備え付けられている。
【００３３】
このように外側筒状部１４内にナット１５を備え付けさせることは、このナット１５をインサートとしたプラスチックの射出成形によって、ガラスホルダーＨを成形することによりなすことができる。
【００３４】
これにより、この実施の形態にあっては、別途のナット１５を用意することなく、ウインドウガラスＷの一面に第一の保持体１の挟持面１０を押し付け、かつ、このウインドウガラスＷの他面に第二の保持体２の挟持面２０を押し付けるようにしてウインドウガラスＷに取り付けられたガラスホルダーＨにおける第二の保持体２の外面にガラス支持体Ｐの一面を接しさせた状態で、このガラス支持体Ｐの他面をボルトＢｔの頭部Ｂｔａの座面とするようにこのガラス支持体Ｐの連結用孔ＷａとガラスホルダーＨのボルト挿通孔１２とにボルトＢｔを入れ込み締め込むことにより、このボルトＢｔを前記ナット１５に螺合させ、このボルトＢｔの頭部Ｂｔａとナット１５が備え付けられた第一の保持体１の挟持面１０との間で、ガラス支持体ＰとウインドウガラスＷと第二の保持体２とを挟み付けることができ、これによってドアガラスＷ’とガラス支持体Ｐとの連結をなすことができる。（図２）
【００３５】
また、この実施の形態にあっては、第一の保持体１は、前記基板１３における幅側の一方縁部側において前記第二の保持体２と、前記ヒンジ体３を介して接合されるようにしてある。
【００３６】
具体的には、この実施の形態にあっては、前記基板１３の挟持面１０側において、この基板１３の幅側の一方縁部に沿ってリブ状部１６が形成してあると共に、このリブ状部１６の突き出し端側にあるこのリブ状部１６の外側面に前記ヒンジ体３の一端が一体に連接されるようにしてある。
【００３７】
このリブ状部１６は、ウインドウガラスＷの厚さ寸法とほぼ等しい突き出し寸法を有するように形成されている。また、前記筒状部１１は、前記第二の保持体２の厚さ寸法分、このリブ状部１６よりも前記第一の保持体１の挟持面１０からの突き出し寸法を大きくするように形成されている。
【００３８】
これにより、この実施の形態にあっては、ウインドウガラスＷの連結用孔Ｗａに前記筒状部１１を入れ込ませて第一の保持体１の挟持面１０をこのウインドウガラスＷの一面に接しさせた状態においては、このウインドウガラスＷの他面からこの筒状部１１の突き出し端側が突き出されるものとされる。（以下、このウインドウガラスＷの他面から突き出される筒状部１１の突き出し端側を、筒状部１１の突出部分１７と称する。）また、この筒状部１１の突出部分１７を後述する貫通穴２１に受け入れるように前記ヒンジ体３を弾性変形させてウインドウガラスＷの他面に挟持面２０を接しさせるように移動された第二の保持体２のこのヒンジ体３との連接側は前記リブ状部１６の突き出し端面によって支持され、このヒンジ体３による連接側からこれと反対の側との間に亘って、第一の保持体１の挟持面１０と第二の保持体２の挟持面２０との間にウインドウガラスＷの厚さ寸法分の間隔が確保されるようにしてある。（図２）
【００３９】
また、第一の保持体１の筒状部１１の突出部分１７の外面には、前記ヒンジ体３を弾性変形させて前記第二の保持体２の後述する貫通穴２１にこの筒状部１１の突出部分１７を受け入れさせる閉じ位置まで第二の保持体２を移動させることにより、この貫通穴２１の内側に形成された後述する被掛合部２３に掛合される掛合部１８が形成してある。
【００４０】
この実施の形態にあっては、かかる掛合部１８は、前記突出部分１７において、前記筒状部１１の直径方向両側にそれぞれ形成された掛合凹部１８ａとしてある。
【００４１】
（第二の保持体２）
第二の保持体２は、第一の保持体１の筒状部１１を受け入れ可能とする貫通穴２１を備えている。
【００４２】
具体的には、この実施の形態にあっては、第二の保持体２は、第一の保持体１を構成する基板１３とほぼ等しい幅と長さとを備えた略長方形の板状をなす基板２２を主体として構成されている。そして、この基板２２の一面が前記挟持面２０となるようにしてある。
【００４３】
また、かかる第二の保持体２の貫通穴２１は、この第二の保持体２の前記基板２２の長さ方向において長まる長穴状をなすように構成されている。
【００４４】
具体的には、この貫通穴２１の短寸側の穴幅は、第一の保持体１の筒状部１１の外径とほぼ等しくなるように構成してある。また、この貫通穴２１の長寸側の穴幅は、第一の保持体１の筒状部１１の外径よりも大きくなるように構成してある。
【００４５】
そして、この実施の形態にあっては、この貫通穴２１における短寸側の両穴壁部に、前記ヒンジ体３を弾性変形させてこの第二の保持体２の貫通穴２１に前記第一の保持体１の筒状部１１の突出部分１７を受け入れさせる閉じ位置まで第二の保持体２を移動させることにより、この突出部分１７に形成された前記第一の保持体１の筒状部１１の掛合部１８に掛合される被掛合部２３が形成してある。
【００４６】
この実施の形態にあっては、かかる被掛合部２３は、前記貫通穴２１の穴壁部からこの貫通穴２１の内方に向けて突き出す掛合突部２３としてある。
【００４７】
かかる掛合突部２３は、その頂部２３ｄを挟んだ前記挟持面２０側に、この頂部２３ｄに向けて次第にこの掛合突部２３の肉厚寸法を小さくする向きに傾斜させた傾斜面２３ｂを備えていると共に、この傾斜面２３ｂと反対の側に掛合面２３ｃを有している。
【００４８】
また、貫通穴２１の短寸方向両側に形成された掛合突部２３、２３の頂部２３ｄ間の寸法は、第一の保持体１の筒状部１１の外径よりもやや狭くなるように構成してある。
【００４９】
また、この実施の形態にあっては、第二の保持体２の基板２２における貫通穴２１の短寸方向両側に、この貫通穴２１の長さ方向に沿った長溝状をなす貫通孔２４が形成してあり、この貫通孔２４によって前記貫通穴２１は短寸方向の幅を広げ出させる弾性変形が可能とされている。
【００５０】
これにより、この実施の形態にあっては、ウインドウガラスＷの連結用孔Ｗａに前記筒状部１１を入れ込ませて第一の保持体１の挟持面１０をこのウインドウガラスＷの一面に接しさせ、このウインドウガラスＷの他面から筒状部１１の突出部分１７を突き出させた状態から、前記ヒンジ体３を弾性変形させてウインドウガラスＷの他面に挟持面２０を接しさせるように第二の保持体２を移動させることにより、前記貫通穴２１に前記筒状部１１の突出部分１７を入れ込ませることができると共に、この入れ込みに伴って、前記筒状部１１の外面に前記掛合突部２３を突き当てさせて前記貫通穴２１の短寸側を弾性的に広がり出させることができ、この後、この掛合突部２３が前記掛合凹部１８ａに入り込む位置までこの貫通穴２１内に筒状部１１が入り込ませることによりこの貫通穴２１側を弾性復帰させて、この掛合突部２３の掛合面２３ｃに掛合凹部１８ａを掛合させることができる。
【００５１】
この結果、この実施の形態にあっては、ウインドウガラスＷにおけるウインドウレギュレーターを構成するガラス支持体Ｐとのボルト締めによる連結箇所に、このウインドウガラスＷに形成させた連結用孔Ｗａを利用してワンタッチでガラスホルダーＨを取り付けることができる。
【００５２】
また、ウインドウガラスＷの他面から突き出される第一の保持体１の筒状部１１の一部（突出部分１７）によって、ボルト締めの際に作用される締め付け力をある程度受けて、この締め付け力の全てが第一の保持体１及び第二の保持体２を通じてウインドウガラスＷに作用しないようにすることができ、このボルト締めに際してのウインドウガラスＷの破損などをできる限り生じないようにすることができる。
【００５３】
また、この実施の形態にあっては、前記掛合突部２３が傾斜面２３ｂを有していることから、前記貫通穴２１への筒状部１１の入れ込みにあたってのこの貫通穴２１側の弾性的な広がり出しをこの傾斜面２３ｂの傾斜によってスムースに行わせることができる。
【００５４】
また、この実施の形態にあっては、第二の保持体２は、前記基板２２における幅側の一方縁部側において前記第一の保持体１と、前記ヒンジ体３を介して接合されるようにしてある。
【００５５】
この実施の形態にあっては、かかるヒンジ体３の他端、つまり、前記第一の保持体１とこのヒンジ体３との連接側と反対の側にあるヒンジ体３の端部と第二の保持体２の基板２２における幅側の一方縁部とが、一体に連接されている。
【００５６】
なお、この実施の形態にあっては、前記貫通穴２１は、第二の保持体２の長さ方向に長まるように形成されていることから、前記ヒンジ体３を弾性変形されながらなされるこの第二の保持体２の閉じ位置への移動に伴い、この貫通穴２１に第一の保持体１の筒状部１１を支障なく入れ込ませることができる。
【００５７】
（ヒンジ体３）
ヒンジ体３は、第一の保持体１における筒状部１１の突き出し端と第二の保持体２におけるウインドウガラスＷの挟持面２０との間に、ウインドウガラスＷの肉厚寸法よりも大きい間隔を開けさせた状態で、この第一の保持体１と第二の保持体２とを連結させると共に、この第一の保持体１の挟持面１０をウインドウガラスＷの一面に接しさせた状態から第二の保持体２の挟持面２０をこのウインドウガラスＷの他面に接しさせる閉じ位置までこの第二の保持体２を移動可能とする弾性変形を可能とするように構成されている。
【００５８】
具体的には、この実施の形態にあっては、かかるヒンジ体３は、一端を前記第一の保持体１のリブ状部１６に一体に接合させ、かつ、他端を前記第二の保持体２の基板２２の一方縁部に一体に連接させた薄肉の板状をなすように構成されている。
【００５９】
また、この実施の形態にあっては、かかるヒンジ体３は、ガラスホルダーＨの幅方向ほぼ中程に空所を形成させるように、このガラスホルダーＨの幅方向両側にそれぞれ形成してある。
【００６０】
そして、この実施の形態にあっては、このヒンジ体３によって、第一の保持体１の挟持面１０の側方にこの第二の保持体２の挟持面２０が配され、かつ、両挟持面がほぼ平行をなすように配された展開状態を、このヒンジ体３を弾性変形させない限り維持させるように、両保持体を連接させている。（図１）
【００６１】
この結果、この実施の形態にあっては、ウインドウガラスＷにおけるウインドウレギュレーターを構成するガラス支持体Ｐとのボルト締めによる連結箇所に形成させた連結用孔Ｗａに対して、第一の保持体１の筒状部１１を入れ込ませる際に第二の保持体２が邪魔となることがなく、この後、前記ヒンジ体３を弾性変形させて第二の保持体２と第一の保持体１との間で前記連結箇所を挟み付けるようにしてウインドウガラスＷにガラスホルダーＨを支障なく取り付けることができ、この取り付け作業を円滑に行うことができる。
【００６２】
（変更例）
図９および図１０は、図１ないし図８に示されるガラスホルダーＨのバリエーションの一つを示している。
【００６３】
この図９および図１０に示される例にあっては、前記第一の保持体１の挟持面１０が、振動吸収体４によって構成されている。
【００６４】
具体的には、この図９および図１０に示される例にあっては、第一の保持体１の基板２２における閉じ位置において第二の保持体２の基板２２の挟持面２０に向き合う面の全体を覆うように形成されたシート状体によって、この第一の保持体１の基板２２の面を覆わせることにより、この第一の保持体１の挟持面１０を振動吸収体４によって構成している。
【００６５】
この図９および図１０に示される例にあっては、前記シート状体に前記筒状部１１を挿し通す穴４０が形成されており、この穴４０にこの筒状部１１を挿し通してシート状体の一面を第一の保持体１の基板１０の面に密着させるようにして、この第一の保持体１の挟持面１０を振動吸収体４によって構成するようにしている。
【００６６】
かかるシート状体は、第一の保持体１の基板１３面に接着して固定させるようにしておくこともできる。
【００６７】
この結果、この実施の形態にあっては、ウインドウレギュレーターを構成するガラス支持体Ｐ側に作用される機械的振動を前記振動吸収体４によって吸収してウインドウガラスＷ側に伝達しないように、あるいは、ウインドウガラスＷ側に作用される機械的振動を前記振動吸収体４によってウインドウレギュレーターを構成するガラス支持体Ｐ側に伝達しないように、このガラス支持体ＰとウインドウガラスＷとを連結し合わせることができる。
【００６８】
また、前記ボルト締めによって、振動吸収体４を押し潰させながら、ガタつきなく、ガラス支持体ＰとウインドウガラスＷとを連結させ合わせることができる。
振動吸収体４としては、例えば、ゴムやプラスチックエラストマーを用いることができる。
【００６９】
また、振動吸収体４を第二の保持体２側にのみ設け、この第二の保持体２の挟持面２０をこの振動吸収体４によって構成するようにしても、あるいはまた、振動吸収体４を第一の保持体１側と第二の保持体２側の双方に設け、第一の保持体１の挟持面１０と第二の保持体２の挟持面２０の双方をこの振動吸収体４によって構成するようにしても良い。
【００７０】
また、かかる振動吸収体４は、この振動吸収体４をインサートとしたプラスチックの射出成形によりガラスホルダーＨを成形することにより、あるいは、この振動吸収体４以外のガラスホルダーＨの主要部をインサートとしたプラスチックの射出成形によりガラスホルダーＨを成形することにより、ガラスホルダーＨに備えさせることもできる。
【００７１】
【発明の効果】
この発明にかかるガラスホルダーにあっては、ウインドウガラスにおけるウインドウレギュレーターを構成するガラス支持体とのボルト締めによる連結箇所に形成させた連結用孔に対して、ガラスホルダーを構成する第一の保持体の筒状部を入れ込ませる際に第二の保持体が邪魔となることがなく、この後、前記ヒンジ体を弾性変形させて第二の保持体と第一の保持体との間で前記連結箇所を挟み付けるようにしてウインドウガラスに支障なく取り付けることができ、この取り付け作業を円滑に行うことができる。
【図面の簡単な説明】
【図１】ガラスホルダーＨの斜視図
【図２】同ウインドウガラスＷへの取付状態を示す断面図
【図３】同側面図
【図４】同平面図
【図５】図４におけるＡ−Ａ線断面図
【図６】図４における右側からガラスホルダーＨを見て示した側面図
【図７】図４におけるＢ−Ｂ線断面図
【図８】図４におけるＣ−Ｃ線断面図
【図９】図１ないし図８に示されるガラスホルダーＨの変更例を示す斜視図
【図１０】同ウインドウガラスＷへの取付状態を示す断面図
【符号の説明】
Ｗ  ウインドウガラス
Ｗａ  連結用孔
Ｈ  ガラスホルダー
Ｐ  ガラス支持体
Ｂｔ  ボルト
１  第一の保持体
１０  挟持面
１１  筒状部
１８  掛合部
２  第二の保持体
２０  挟持面
２１  貫通穴
２３  被掛合部
【図１】
0003870294.tif 000002
【図２】
0003870294.tif 000003
【図３】
0003870294.tif 000004
【図４】
0003870294.tif 000005
【図５】
0003870294.tif 000006
【図６】
0003870294.tif 000007
【図７】
0003870294.tif 000008
【図８】
0003870294.tif 000009
【図９】
0003870294.tif 000010
【図１０】
0003870294.tif 000011